(57)【要約】      （修正有）【課題】クロ−ズドテレスコ−プ弾の火管が点火され、火薬が着火するまでの燃焼を改良するためのテレスコ−プ弾用火管を提供する。【解決手段】弾丸および発射薬が配置されたテレスコープ弾に用いられる火管であって、火薬の装填密度が０．５ｇ／ｃｍ3 以上のテレスコープ弾における火管であり、火管の孔が、機軸方向に向いて開けられているテレスコ−プ弾用火管であり、また前記孔が複数であって、その孔が機軸方向にだけ向けられているテレスコ−プ弾用火管である。【選択図】図１
2004184076.tif 000002
【特許請求の範囲】
【請求項１】
弾丸および発射薬が配置されたテレスコープ弾に用いられる火管であって、火薬の装填密度が０．５ｇ／ｃｍ3 以上のテレスコープ弾における火管であり、火管の孔が、機軸方向に向いて開けられていることを特徴とするテレスコープ弾用火管。
【請求項２】
前記孔が複数であって、その孔が機軸方向にだけ向けられていることを特徴とする請求項１記載のテレスコープ弾用火管。
【発明の詳細な説明】
【技術分野】
【０００１】
本発明は、クロ−ズドテレスコ−プ弾に関するものである。
【背景技術】
【０００２】
クローズドテレスコープ弾は、弾丸が薬莢の中に完全に挿入されており、弾薬の体積を小さくすることができる。そのため砲システムにおける弾の保存容積が縮小できると共に、給弾等のメカニズムが従来の砲システムよりコンパクト化でき、より高速な射撃が可能となる。
クローズドテレスコープ弾には、そのタイプによりシングルステージ型とダブルステージ型がある。シングルステージ型は従来の弾薬において弾丸が薬莢内に挿入された形態を有するもので、図７に示すように弾丸１がコントロールチューブ２内に配置され、薬莢３とコントロールチューブ２の間およびコントロールチューブ２の後方に発射薬４が満たされた構造をしている。また、弾丸１の前面には弾丸保持シール５が設けられ、薬莢３の後方には点火装置としての火管６が配置されている。
【０００３】
一方、ダブルステージ型は、発射薬がブースタ火薬とメイン火薬に分かれたものであり、図１に示すように薬莢１１内のコントロールチューブ１３の外側にメイン火薬１７が配置され、コントロールチューブ１３の内側で弾丸１８の後方にブースタ火薬１６が配置されており、コントロールチューブ１３は弾丸１８の初期の動きを制御するものである。
ダブルステージ型クローズドテレスコープ弾は、火管１５により着火させられたブースタ火薬の燃焼により弾丸が起動され、弾丸の移動によりコントロールチューブ１２に設けられたメイン火薬への火炎伝播用の孔１３に火炎が達したときにメイン火薬１７へ着火し、メイン火薬１７の燃焼により弾丸を更に加速していく。
【０００４】
テレスコープ弾の研究は古くから行われており、その発射薬や火管に関しても古くから研究されている。例えば、米国特許第５０４２３８８号、米国特許第５０４８４２２号、米国特許第５０６３８５２号、米国特許第５０６７４０７号等の各明細書にダブルステ−ジ型クロ−ズドテレスコ−プ弾が記載されている。
例えば、米国特許第５０６３８５２号明細書にはダブルステ−ジ型クロ−ズドテレスコ−プ弾のブ−スタ火薬の特性に関し記載されており、ブ−スタ火薬として粒状のシングルベ−ス組成で単孔管状発射薬が示されている。
更に米国特許第５１９２８２９号明細書にはシングルステ−ジ型クロ−ズドテレスコ−プ弾の火管構造が示されている。この火管は複数の孔が機軸方向に角度を有して形成されており、点火装置が孔の中心軸と薬莢の中間点と交差する位置に配置されており、この火管により直接メイン火薬に着火させるものである。
【発明の開示】
【発明が解決しようとする課題】
【０００５】
このように、ダブルステージ型クローズドテレスコープ弾は、火管によって着火されるブ−スタ火薬のエネルギ−で弾丸が移動し、コントロ−ルチュ−ブに設置された孔によりブ−スタ火薬とメイン火薬が連絡されて、メイン火薬が着火するようになされている。しかし、コントロ−ルチュ−ブの外周上に配置されたメイン火薬を同時にかつ均質に着火させるために、この一連の燃焼伝播は短時間に均質に達成される必要があり、初期のブ−スタ火薬までの着火がうまく行かないとシステム全体の機能が不良になる。
【０００６】
従来の火管を使うと、ブ−スタ火薬がうまく燃えず、コントロールチューブの孔の位置に到達した時に、ブ−スタ火薬が均質に着火されていない現象が認められた。また、点火を良くさせるために点火薬量を増加しても、逆にブ−スタ火薬の燃焼圧力が下がるような現象が認められた。
本発明は、クロ−ズドテレスコ−プ弾の火管が点火され、火薬が着火するまでの燃焼を改良することを課題とするものである。
【課題を解決するための手段】
【０００７】
上記課題を解決するために、請求項１に係る火管は、弾丸および発射薬が配置されたテレスコープ弾に用いられる火管であって、火薬の装填密度が０．５ｇ／ｃｍ3 以上のテレスコープ弾における火管であり、火管の孔が、機軸方向に向いて開けらていることを特徴とする。
また、請求項２に係る火管は、前記孔が複数であって、その孔が機軸方向にだけ向けられていることを特徴とする請求項１記載の火管である。
【０００８】
本発明の火管ダブルステ−ジ型クロ−ズドテレスコ−プ弾に用いた場合には、薬莢底部から弾丸底部までの間に装填されたブ−スタ火薬の装填密度が０．７ｇ／ｃｍ3 以上であることが好ましい。それ以下であるとブ−スタ火薬をうまく燃焼させるためのコントロ−ルチュ−ブ内の弾丸起動圧の範囲が狭くなるので設計上好ましくない。弾丸起動圧を７０ｋｇｆ／ｃｍ2 以上にすると、装填密度を下げることができ、０．５ｇ／ｃｍ3 以上であってもうまく燃焼させることができる。なお、装填密度の最大値はブ−スタ火薬の仮比重（単位体積当たりに装填可能な火薬重量）で設定される。
【０００９】
また、火管に開けられた孔が機軸方向に向けられている方が、ブ−スタ火薬の燃焼時間を短くする上で好ましい。
選定された点火薬システムにおいて、ブ−スタ火薬の装填密度とコントロ−ルチュ−ブ内の弾丸起動圧を制御するために、コントロ−ルチュ−ブ内の弾丸起動圧を模擬する所定の破裂板を弾丸進行方向に向かって弾丸の前に設定した破裂板ボンブ装置を用い、選定された点火薬システム条件下でブ−スタ火薬の装填密度とコントロ−ルチュ−ブ内の弾丸起動圧を適正化することで求められる。また、ショットボンブを用いることもできる。弾丸口径、弾丸重量によって破裂板の破裂圧力が影響されるが、適正化の方法は影響されない。
【００１０】
このコントロ−ルチュ−ブ内の弾丸起動圧は、薬莢開放部に設置する弾丸保持シ−ル部品の接着力、薬莢開放部をクリンプすることにより発生する圧縮力、またはコントロ−ルチュ−ブに施工したシェアピン、シェアリング等で制御することが出来る。
ブ−スタ火薬は急焼性で着火性がよい組成が好ましく、組成としてはシングルベ−スが良い。
また、ウェッブは０．８ｍｍ以下がよく、それより大きくなると圧力立ち上がりが遅くなり、システム全体の燃焼時間が延びるので好ましくない。更に好ましくは０．５ｍｍ以下がよい。下限は製造性によって制限され、０．１ｍｍ程度が下限となる。
【発明の効果】
【００１１】
本発明によれば、火薬の燃焼を安定化させ、火薬への着火の制御の信頼性をあげることが可能となる。
【実施例】
【００１２】
次に図面により本発明を詳細に説明する。
本発明のダブルステージ型クロ−ズドテレスコ−プ弾は、図１に示すように薬莢１１内のコントロールチューブ１３の外側にメイン火薬１７が配置され、コントロールチューブ１３の内側で弾丸１８の後方にブースタ火薬１６が配置されている。
ブースタ火薬１６は火管１５により着火され、コントロールチューブ１２に設けられたメイン火薬への火炎伝播用の孔１３を介してメイン火薬１７へ着火されるようになされている。
弾丸起動圧は弾丸保持シールで制御されるが、実際には破裂板ボンブを用いてシュミレーションすることにより弾丸起動圧を所定の範囲に制御することとなる。
【００１３】
破裂板ボンブは４０ｍｍの内径で薬室容積６０ｃｃのものを用いた。
また、点火薬としては黒色火薬（等級５）を用い、ブ−スタ火薬としてはシングルベ−ス組成を用いた。シングルベ−スの組成としては、例えばニトロセルロース８７％、ジニトロトルエン１０％、ジブチルフタレート３％、ジフェニルアミン１％のものを用いることができ、単孔管状（直径：１．１ｍｍ、長さ：６．５ｍｍ、内孔径：０．３５ｍｍ、ウエッブ：０．３７５ｍｍ）を用いた。
破裂板は、図２に示すように、円板３１に溝きり３２をいれたものを使用し、表１に示すように所定の圧力で破裂するように樹脂、金属の材質選定をし、溝きり厚を調節した。本実施例ではポリカーボネートと鉄を用いたが、材質は特に限定されるものではなく、目標の圧力で破壊するものであればよい。
この時の結果を表２に示す。
【００１４】
【表１】
2004184076.tif 000003
【００１５】
【表２】
2004184076.tif 000004
【００１６】
この際、使用した点火薬は最小量１．０ｇより最大量３．５ｇである。点火薬量をあげてもＰmax が低下する領域と点火薬量をあげることによりＰmax が上昇する領域（点火が良好な領域）が分かれていることが確認された。このようにコントロ−ルチュ−ブ内の弾丸起動圧とブ−スタ火薬の装填密度を調整することでブ−スタ火薬の燃焼状況が良好な領域が選定される。
この時の最大点火圧力との関係の代表例を図３に示す。
次に、上記の実施例と同じ破裂板ボンブを用い点火方法を変えた試験結果を図４に示す。この時用いた火管体の構造を図５および図６に示す。図５に示す火管は長さ５３ｍｍの管体２１にφ６ｍｍの孔２２が１２個一定の間隔で円周方向に開けられており、図６に示す火管はφ２ｍｍの孔２２が７個機軸方向に向いて開けられている。２３はネジである。
【００１７】
なお、図４に示す絹袋タイプは点火薬を絹袋に包んで点火装置とした簡易点火装置である。
この結果、底部着火タイプで、図６に示すように、その孔が機軸方向に向いている火管の方が理論に近い燃焼波形を示しており、燃焼遅れ時間が短く着火として良好であることが確認された。そのエネルギ−の放出方向が弾丸の機軸方向より角度がずれるにしたがい燃焼遅れ時間が長くなる。
【図面の簡単な説明】
【００１８】
【図１】本発明のダブルステージ型クローズドテレスコープ弾の構成を示す図である。
【図２】破裂板ボンブに用いられる破裂板を示す図である。
【図３】弾丸起動圧と点火薬量と最大圧力の関係を示した図である。
【図４】本発明の火管を使用したときの圧力と時間のカーブと理論燃焼計算により得られたカーブとを比較した図である。
【図５】孔が円周方向に開けられた火管を示す。
【図６】孔が機軸方向に向いて開けられた火管である。
【図７】シングルステージ型クローズドテレスコープ弾の構成を示す図である。
【符号の説明】
【００１９】
１  弾丸
２  コントロールチューブ
３  薬莢
４  発射薬
５  弾丸保持シール
６  火管（点火装置）
１１  薬莢
１２  コントロールチューブ
１３  孔
１４  弾丸保持シール
１５  点火装置
１６  ブースタ火薬
１７  メイン火薬
１８  弾丸
２１  火管
２２  孔
３１  破裂板
３２  溝きり
【図１】
2004184076.tif 000005
【図２】
2004184076.tif 000006
【図３】
2004184076.tif 000007
【図４】
2004184076.tif 000008
【図５】
2004184076.tif 000009
【図６】
2004184076.tif 000010
【図７】
2004184076.tif 000011